【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器(UE)からのサウンディング基準信号(SRS)を求める要求を、サブフレームの中で基地局から送信するステップであって、前記SRSを求める前記要求が、前記SRSに関する構成情報を含み、かつ、前記サブフレームの中のアップリンク部分の前の前記サブフレームの中の冒頭において挿入された前記サブフレームの中のダウンリンク部分の間に、送信される、ステップと、
前記SRSを求める前記送信された要求に応答して、前記UEからの前記SRSを前記基地局において、前記アップリンク部分の同じサブフレームの中で受信するステップであって、前記SRSが、前記構成情報に従って構成される、ステップと、
前記基地局において、前記受信されたSRSから抽出された情報に基づいて、前記基地局のアンテナ用のビームフォーミングパターンをトレーニングするステップと、
前記基地局において、前記基地局から前記UEへのダウンリンク送信のために、前記トレーニングされたビームフォーミングパターンを使用するステップと
を備える方法。
【請求項２】
前記構成情報が、前記SRSのバースト長、前記SRSが送信されるべきサブバンド、前記SRSのバースト多重化構成、前記SRSのために使用されるべきバーストリソース、および前記SRSの次元数のうちの少なくとも1つを含む、請求項1に記載の方法。
【請求項３】
前記基地局から前記UEへの前記ダウンリンク送信が、同じサブフレームの中で行われる、請求項1に記載の方法。
【請求項４】
前記基地局によって、前記基地局と前記UEとの間のチャネル条件に基づいて前記SRSの長さを決定するステップと、
前記基地局によって、前記SRSを求める前記要求の中に含まれる前記構成情報の中に前記長さを含めるステップと
をさらに備える、請求項1に記載の方法。
【請求項５】
前記基地局によって、前記チャネル条件に対して補償するための最小処理利得を決定するステップをさらに備え、前記長さを決定する前記ステップが、前記決定された最小処理利得に基づく、請求項4に記載の方法。
【請求項６】
前記最小処理利得を決定する前記ステップが、
前記基地局によって、前記基地局と前記UEとの間のランダムアクセスチャネル(RACH)を確立するために使用される持続時間を監視するステップ
をさらに備える、請求項5に記載の方法。
【請求項７】
前記基地局によって、複数のSRSを、対応する複数のUEに要求すべきと決定するステップであって、前記複数のUEが、前記UEを備えるステップと、
前記基地局によって、同じサブフレームの中の前記複数のSRSのために使用すべき、前記複数のUEのための複数の物理リソースを決定するステップと
をさらに備える、請求項1に記載の方法。
【請求項８】
送信する前記ステップが、前記基地局から同じサブフレームの中で、前記要求を前記複数のUEへ送信するステップをさらに備え、
受信する前記ステップが、前記複数のSRSを求める前記送信された要求に応答して、前記基地局において同じサブフレームの中で、前記複数のUEから前記複数のSRSを受信するステップをさらに備え、
適用する前記ステップが、前記基地局において同じサブフレームの中で、前記複数のSRSから決定されたアップリンクチャネル情報を、前記複数のUEへのダウンリンク送信に適用するステップをさらに備える、
請求項7に記載の方法。
【請求項９】
ワイヤレス通信の方法であって、
ユーザ機器(UE)において、サブフレームの中で、サウンディング基準信号(SRS)を求める要求を基地局から受信するステップであって、前記SRSを求める前記要求が、前記SRSに関する構成情報を含み、かつ、前記サブフレームの中のアップリンク部分の前の前記サブフレームの中の冒頭において挿入された前記サブフレームの中のダウンリンク部分の間に、受信される、ステップと、
前記受信された要求に応答して、前記受信された要求の中に含まれる前記構成情報に基づいて、前記SRSを前記UEによって同じサブフレームの中で構成するステップと、
前記受信された構成情報に基づく前記SRSを、前記アップリンク部分の同じサブフレームの中で前記UEから前記基地局へ送信するステップと、
前記送信されたSRSから抽出され、かつダウンリンク送信に適用される情報に基づいてトレーニングされている、前記基地局のアンテナ用にトレーニングされたビームフォーミングパターンを使用する前記ダウンリンク送信を、前記UEにおいて前記基地局から受信するステップと
を備える方法。
【請求項１０】
前記構成情報が、前記SRSのバースト長、前記SRSが送信されるべきサブバンド、前記SRSのバースト多重化構成、前記SRSのために使用されるべきバーストリソース、および前記SRSの次元数のうちの少なくとも1つを含む、請求項9に記載の方法。
【請求項１１】
基地局であって、
ユーザ機器(UE)からのサウンディング基準信号(SRS)を求める要求を、サブフレームの中で送信するための手段であって、前記SRSを求める前記要求が、前記SRSに関する構成情報を含み、かつ、前記サブフレームの中のアップリンク部分の前の前記サブフレームの中の冒頭において挿入された前記サブフレームの中のダウンリンク部分の間に、送信される、手段と、
前記SRSを求める前記送信された要求に応答して、前記UEからの前記SRSを、前記アップリンク部分の同じサブフレームの中で受信するための手段であって、前記SRSが、前記構成情報に従って構成される、手段と、
前記受信されたSRSから抽出された情報に基づいて、前記基地局のアンテナ用のビームフォーミングパターンをトレーニングするための手段と、
前記基地局から前記UEへのダウンリンク送信のために、前記トレーニングされたビームフォーミングパターンを使用するための手段と
を備える基地局。
【請求項１２】
ユーザ機器(UE)であって、
サブフレームの中で、サウンディング基準信号(SRS)を求める要求を基地局から受信するための手段であって、前記SRSを求める前記要求が、前記SRSに関する構成情報を含み、かつ、前記サブフレームの中のアップリンク部分の前の前記サブフレームの中の冒頭において挿入された前記サブフレームの中のダウンリンク部分の間に、受信される、手段と、
前記受信された要求に応答して、前記受信された要求の中に含まれる前記構成情報に基づいて、前記SRSを同じサブフレームの中で構成するための手段と、
前記受信された構成情報に基づく前記SRSを、前記アップリンク部分の同じサブフレームの中で前記UEから前記基地局へ送信するステップと、
前記送信されたSRSから抽出され、かつダウンリンク送信に適用される情報に基づいてトレーニングされている、前記基地局のアンテナ用にトレーニングされたビームフォーミングパターンを使用する前記ダウンリンク送信を、前記基地局から受信するための手段と
を備えるユーザ機器。
【請求項１３】
プログラムコードを記録したコンピュータ可読記録媒体であって、前記プログラムコードが、実行されると、コンピュータに、請求項1乃至8のいずれか1項に記載の方法を実行させるためのコードを備える、コンピュータ可読記録媒体。
【請求項１４】
プログラムコードを記録したコンピュータ可読記録媒体であって、前記プログラムコードが、実行されると、コンピュータに、請求項9又は10のいずれか1項に記載の方法を実行させるためのコードを備える、コンピュータ可読記録媒体。